(57)【特許請求の範囲】
【請求項１】
内部に化粧品が収容されて上側に開口部（１ａ）が形成された容器（１）とネジ結合することによって圧縮されてから、容器（１）から結合が解除される時、容器（１）内の内容液が充填される容器キャップ（５０）を有し、
前記容器キャップ（５０）は、上下部が開口された円筒型部材であり、その下側を介して容器（１）とネジ結合される第一円筒型部材（５１）と；
上部面は開口されて、下部面中央には容器（１）内に収容されるスポイト管（５２）が下側で挿入されるように下部に突設された結合突起（５３ａ）が形成された円筒型部材であり、前記容器（１）が第一円筒型部材（５１）とネジ結合される時、前記第一円筒型部材（５１）の内周面に垂直に形成された一対のガイド溝（５１ａ）に挿入されて、上下移動するように外周面の両側に垂直に形成された一対のガイド突起（５３ｂ）を備えた第二円筒型部材（５３）と；
前記第二円筒型部材（５３）の内部上面に円筒型で突設された円筒型突起（５３ｃ）が下部内周面に安着される円筒型の蛇腹部材（５４）と；
前記円筒型の蛇腹部材（５４）の上部内周面にその下部面突起（５５ａ）が安着されて、外周面の下端面が前記第一円筒型（５１）の上面に乗せられる円板型部材（５５）と；
前記円板型部材（５５）の中央ホール（５５ｂ）に挿入されて、前記中央ホール（５５ｂ）の外側に放射状に形成された多数のスリット（５５ｃ）を介して上部の空気は流入させ、下部の空気は排出されないように作動するゴムバルブ（５６）と；
前記円板型部材（５５）の上部面の外側に挿入される中央に空気流入ホール（５７ａ）が形成された上部面が膨れているドーム状のゴムボタン（５７）と；
前記ゴムボタン（５７）の外周面に形成された段差（５７ｂ）に上部内周面の土台（５８ａ）がかかるようになっていて、前記円板型部材（５５）及び第一円筒型部材（５１）の外周面を同時にカバーする円筒型カバー部材（５８）からなる
ことを特徴とする自動充填及び定量吐出スポイト型容器キャップ。
【請求項２】
前記第二円筒型部材（５３）の下面には、前記容器（１）との間に密封できるように円盤型のパッキング部材（５９）が設置されていて、前記円板型のパッキング部材（５９）の中央が前記結合突起（５３ａ）に挿入されている
ことを特徴とする請求項１に記載の自動充填及び定量吐出スポイト型容器キャップ。
【請求項３】
前記ゴムバルブ（５６）は、前記円板型部材（５５）の下面で多数のスリット（５５ｃ）を開閉する円板型下部面（５６ａ）と、前記円板型下部面（５６ａ）から中央へ突設された柱部（５６ｂ）と、前記柱部（５６ｂ）の外周面に下部にいくほどその直径が広くなるようになって前記円板型部材（５５）の上面に接触するテーパー部（５６ｃ）からなる
ことを特徴とする請求項１または請求項２に記載の自動充填及び定量吐出スポイト型容器キャップ。
【発明の詳細な説明】
【技術分野】
【０００１】
本発明は、自動充填及び定量吐出スポイト型容器キャップに関する。より詳しくは、スポイト方式で化粧品を抽出する時に容器に収容された化粧品をスポイト管の内部に吸い込んで吐出する構造を改善して、スポイト型化粧品容器の使用操作が便利になるようにした自動充填及び定量吐出スポイト型容器キャップに関する。
【背景技術】
【０００２】
エッセンス、又は、アイクリームや老化及びしわ取り等のような高機能性化粧品は、大体内容液が高価であり、また、パッキング単位が少量であるため、これを収容する既存の化粧品容器もおおかたコンパクトなサイズであり、容器の構造もまた単純に容器と蓋と構成されるので、これを用いる場合には、容器の流出孔を介して内容液を手に付けて、その肌に塗るようになるため、これは吐出量の調節が難しく、手に付いて浪費される量ほど、高価な内容液が損失される短所がある。
【０００３】
このようなことを考え、スポイト方式で内容液を抽出して肌に塗ることができるようにスポイト型化粧品容器が開発され補給されている。
【０００４】
従来のスポイト型化粧品容器（１０）は、図５に図示されたように、内部に化粧品が収容される容器本体（２０）と、容器本体（２０）を密閉し、容器本体（２０）内に挿入できるように設けられたスポイト（３０）とを含む。
【０００５】
容器本体（２０）は、スポイト（３０）とネジ結合されるよう開口部（２１）の外側周に雄ネジ部（２１ａ）が形成され、スポイト（３０）は、雄ネジ部（２１ａ）に対応するように雌ネジ部（３１ａ）が形成されたキャップ部（３１）と、キャップ部（３１）に結合されて開口部（２１）を介して容器本体（２０）の内部に出入されるスポイト管（３３）と、キャップ部（３１）の上部に離隔具備されたプッシュボタン（３５）と、プッシュボタン（３５）とキャップ部（３１）との間に備えられたばねのような弾性部材（３７）とを含む。
【０００６】
しかし、このような従来のスポイト型化粧品容器（１０）は、使用する時、使用者がスポイト（３０）を容器本体（２０）に結合した後、プッシュボタン（３５）を一回押した後にスポイト（３０）を回して容器本体（２０）から分離した後にプッシュボタン（３５）を再度押さねばならないため、使用操作が厄介で不便になるという問題がある。
【０００７】
また、使用者によっては、気ぜわしく容器本体（２０）に収容された化粧品をスポイト管（３３）の内部に吸い込むために、スポイト（３０）が容器本体（２０）に完全に結合される前にプッシュボタン（３５）を押すため、スポイト管（３３）には化粧品が十分にたまらないという問題がある。
【先行技術文献】
【特許文献】
【０００８】
【特許文献１】韓国登録特許第１０−１１５２１５９号公報
【特許文献２】韓国公開実用新案第２０−２０１２−０００２９５９号公報
【特許文献３】韓国実用新案第２０−０４５３１２６号公報
【発明の概要】
【発明が解決しようとする課題】
【０００９】
本発明は、前記のような問題を解決するために案出されたものであり、スポイト方式で化粧品を抽出する時に、容器に収容された化粧品をスポイト管の内部に吸い込んで吐出する構造を改善して、スポイト型化粧品容器の使用操作が便利になるようにすることを本発明の目的とする。
【００１０】
また、本発明の他の目的は、使用者の使用習慣とは関係なく、いつも一定の条件のもとで、容器に収容された化粧品の内容液を一滴ずつ定量吐出するようにすることである。
【課題を解決するための手段】
【００１１】
本発明の第一実施例による自動充填及び定量吐出スポイト型容器キャップは、内部に化粧品が収容され、上側に開口部（１ａ）が形成された容器（１）とネジ結合することによって圧縮されてから、容器（１）から結合が解除される時、容器（１）内の内容液が充填される容器キャップ（５０）であることを特徴とする。
【００１２】
ここで、前記容器キャップ（５０）は内部に化粧品が収容され、上側に開口部（１ａ）が形成された容器（１）とねじ結合することによって圧縮されてから、容器（１）から結合が解除される時、容器（１）内の内容液が充填される容器キャップ（５０）は、上下部が開口された円筒型部材であり、その下側を介して容器（１）とネジ結合される第一円筒型部材（５１）と；上部面は開口され、下部面の中央には容器（１）内に収容されるスポイト管（５２）が下側で挿入されるように下部に突設された結合突起（５３ａ）が形成された円筒型部材であって、前記容器（１）が第一円筒型部材（５１）とネジ結合される時に前記第一円筒型部材（５１）の内周面に垂直に形成された一対のガイド溝（５１ａ）に挿入されて上下移動するように外周面の両側に垂直に形成された一対のガイド突起（５３ｂ）を備えた第二円筒型部材（５３）と；前記第二円筒型部材（５３）の下部面の上面に円筒型で突設された円筒型突起（５３ｃ）が下部内周面に安着される円筒型の蛇腹部材（５４）と；前記円筒型の蛇腹部材（５４）の上部内周面にその下部面突起（５５ａ）が安着され、外周面の下端面が前記第一円筒型部材（５１）の上面に乗せられる円板型部材（５５）と；前記円板型部材（５５）の中央ホール（５５ｂ）に挿入され、前記中央ホール（５５ｂ）の外側に放射状に形成された多数のスリット（５５ｃ）を介して上部の空気は流入させて下部の空気は排出されないように作動するゴムバルブ（５６）と；前記円板型部材（５５）の上部面の外側に挿入される中央に空気流入ホール（５７ａ）が形成された上部面がふくれているドーム状のゴムボタン（５７）と；前記ゴムボタン（５７）の外周面に形成された段差（５７ｂ）に上部内周面の土台（５８ａ）がかかるようになっていて、前記円板型部材（５５）及び第一円筒型部材（５１）の外周面を同時にカバーする円筒型カバー部材（５８）からなることを特徴とする。
【発明の効果】
【００１３】
本発明の自動充填及び定量吐出スポイト型容器キャップによると、スポイトを含む容器キャップと容器とのネジ結合が解除される時、容器内に収容された内容液をスポイト管の内部に吸い込み、上部に突設されたゴムボタンを押すと、化粧品の内容液が一滴ずつ定量吐出する効果を有する。
【図面の簡単な説明】
【００１４】
【図１】本発明の自動充填及び定量吐出スポイト型容器キャップを図示した分解斜視図である。
【図２】本発明の自動充填及び定量吐出スポイト型容器キャップを容器と結合して蛇腹部材が圧縮された状態を図示した組立断面図である。
【図３】本発明の自動充填及び定量吐出スポイト型容器キャップが容器から脱去された状態を図示した断面図である。
【図４】本発明の自動充填及び定量吐出スポイト型容器キャップのボタンを押す時を図示した断面図である。
【図５】従来のスポイト型の化粧品容器を図示した断面図である。
【発明を実施するための形態】
【００１５】
本発明の第一実施例による自動充填及び定量吐出スポイト型容器キャップは、内部に化粧品が収容され、上側に開口部（１ａ）が形成された容器（１）とネジ結合することによって圧縮されてから、容器（１）から結合が解除される時に容器（１）内の内溶液が充填される容器キャップ（５０）であることを特徴とする。
【００１６】
以下から、本発明の好ましい実施例を添付の図面を参照して詳しく説明する。また、本発明を説明することにおいて、関連の公知構成、または機能に関する具体的な説明が本発明の要旨を濁すことがあると判断される場合には、その詳しい説明を省略する。
【００１７】
［実施例］
図１は、本発明の自動充填及び定量吐出スポイト型容器キャップを図示した分解斜視図であり、図２は、本発明の自動充填及び定量吐出スポイト型容器キャップを容器と結合して蛇腹部材が圧縮された状態を図示した組立断面図であり、図３は、本発明の自動充填及び定量吐出スポイト型容器キャップが容器から脱去された状態を図示した断面図であり、図４は、本発明の自動充填及び定量吐出スポイト型容器キャップのボタンを押す時を図示した断面図であり、図５は、従来のスポイト型の化粧品容器を図示した断面図である。
【００１８】
図１ないし図４に図示したように、本発明の自動充填及び定量吐出スポイト型容器キャップ（５０）は、内部に化粧品が収容されて、上側に開口部（１ａ）が形成された容器（１）と結合される。
【００１９】
前記容器キャップ（５０）は、上下部が開口された円筒型部材であり、その下側を介して容器（１）とネジ結合される第一円筒型部材（５１）と；上部面は開口され、下部面の中央には容器（１）内に収容されるスポイト管（５２）が下側で挿入されるように下部に突設された結合突起（５３ａ）が形成された円筒型部材であり、前記容器（１）が第一円筒型部材（５１）とネジ結合される時、前記第一円筒型部材（５１）の内周面に垂直に形成された一対のガイド溝（５１ａ）に挿入されて上下移動するように外周面の両側に垂直に形成された一対のガイド突起（５３ｂ）を備えた第二円筒型部材（５３）と；前記第二円筒型部材（５３）の内部上面に円筒型で突設された円筒型突起（５３ｃ）が下部内周面に安着される円筒型の蛇腹部材（５４）と；前記円筒型の蛇腹部材（５４）の上部内周面にその下部面突起（５５ａ）が安着されて、外周面の下端面が前記第一円筒型部材（５１）の上面に乗せられる円板型部材（５５）と；前記円板型部材（５５）の中央ホール（５５ｂ）に挿入されて、前記中央ホール（５５ｂ）の外側に放射状に形成された多数のスリット（５５ｃ）を介して、上部の空気は流入させて、下部の空気は排出されないように作動するゴムバルブ（５６）と；前記円板型部材（５５）の上部面の外側に挿入される中央に空気流入ホール（５７ａ）が形成された上部面が膨れているドーム状のゴムボタン（５７）と；前記ゴムボタン（５７）の外周面に形成された段差（５７ｂ）に上部内周面の土台（５８ａ）がかかるようになっていて、前記円板型部材（５５）及び第一円筒型部材（５１）の外周面を同時にカバーする円筒型カバー部材（５８）からなる。
【００２０】
前記第二円筒型部材（５３）の下面には前記容器（１）との間に密封できるように円板型のパッキング部材（５９）が設置されていて、前記円板型のパッキング部材（５９）の中央が前記結合突起（５３ａ）に挿入されている。
【００２１】
前記ゴムバルブ（５６）は、前記円板型部材（５５）の下面で多数のスリット（５５ｃ）を開閉する円板型下部面（５６ａ）と、前記円板型下部面（５６ａ）から中央へ突設された柱部（５６ｂ）と、前記柱部（５６ｂ）の外周面に下部へ行くほどその直径が広くなるようになって前記円板型部材（５５）の上面に接触するテーパー部（５６ｃ）からなる。
【００２２】
次に、前記のように構成された本発明の自動充填及び定量吐出スポイト型容器キャップの作動について説明すると、スポイト型化粧品容器（１）内の化粧品を使用するために、まず、図２のような状態で円筒型カバー部材（５８）の外周面を手でつかんで回すと、第一円筒型部材（５１）とネジ結合されている容器（１）が第一円筒型部材（５１）とのネジ結合を解除されて、収縮（圧縮）していた円筒型の蛇腹部材（５４）が膨張される（図３参照）。このように膨張しながらスポイト管（５２）を介して容器（１）内の内容液が結合突起（５３ａ）を経て第二円筒型部材（５３）内、即ち円筒型の蛇腹部材（５４）内に吸入される。
【００２３】
このように円筒型の蛇腹部材（５４）の膨張によってスポイト管（５２）内に吸入される内容液を使用するために図４のように、空気流入ホール（５７ａ）を閉鎖しながらゴムボタン（５７）を押すと、前記ゴムボタン（５７）の下部の空気が圧縮されて、その下部のゴムバルブ（５６）のテーパー部（５６ｃ）に沿って空気が誘導されて円板型部材（５５）の多数のスリット（５５ｃ）を介して空気が排出される。
【００２４】
このように多数のスリット（５５ｃ）を介して排出される空気は、その下部面をカバーしている円板型下部面（５６ａ）を押し出しながら、円筒型の蛇腹部材（５４）内に流入されてその内部の化粧品内容液を一定量押し出してスポイト管（５２）内の内容液の一定量が吐出される。
【００２５】
また、押していたゴムボタン（５７）を放すと、空気流入ホール（５７ａ）を介して空気が流入されて、押し出されていたゴムバルブ（５６）の円板型下部面（５６ａ）が元通りになり、前記多数のスリット（５５ｃ）をカバーするようになる。
【００２６】
以上のように、本発明の開示で具体的な実施例に関して説明したが、本発明の技術が当業者によって容易に変形実施される可能性が自明であり、このような変形された実施例などは、本発明の特許請求の範囲に記載の技術思想に含まれるといえる。
【符号の説明】
【００２７】
１    容器
１ａ  開口部
５０    容器キャップ
５１    第一円筒型部材
５１ａ  ガイド溝
５２    スポイト管
５３    第二円筒型部材
５３ａ  結合突起
５３ｂ  ガイド突起
５３ｃ  円筒型突起
５４    蛇腹部材
５５    円板型部材
５５ａ  下部面突起
５５ｂ  中央ホール
５５ｃ  スリット
５６    ゴムバルブ
５６ａ  円板型下部面
５６ｂ  柱部
５６ｃ  テーパー部
５７    ゴムボタン
５７ａ  空気流入ホール
５７ｂ  段差
５８    円筒型カバー部材
５８ａ  土台
５９    パッキング部材
【図１】
0005985061.tif 000002
【図２】
0005985061.tif 000003
【図３】
0005985061.tif 000004
【図４】
0005985061.tif 000005
【図５】
0005985061.tif 000006